(57)【要約】      （修正有）【課題】吸水性、保湿性、耐久性などの特徴のあるシートをロール状あるいは折り畳んで重ねた状態にして、使用状況によって任意に大きさを決めることもでき、そして簡単に切り取ることが出来る工夫をして使用時の利便を高めるシート及び容器を提供する。【解決手段】吸水性、保湿性などを有する物、例えばセルロース、スポンジ、布などを、薄く平面形状で長尺にしたシート２である。シート２の片方の先端部が接着剤あるいは、接着物質によって一本の心棒１に固定され、それが固定された心棒１から巻きつかれてありロール状になっている。また、シート２は、任意の位置あるいは付された切れ目にて使用時に任意に切り取り可能にしている。また、シート２を容器の中に集合的に設置し、収納の利便性を高めている。【選択図】図１
0003200166.tif 000002
【実用新案登録請求の範囲】
【請求項１】
吸水性、保水性、耐久性などを有する薄く平面形状で長尺のシートであって、該シートの一端は、接着剤または接着状物質を用いるかあるいは用いずに、一本の心棒に固定して該心棒に巻つけてあり、他端部から順次引き出して使用できるようにしたことを特徴とするシート。
【請求項２】
請求項１において、該シートは、任意の位置あるいは付された切れ目にて切り取り可能にしたロール形状に巻くか、あるいは折り畳んで重ねた状態のシートであって、その表面をコーティング、あるいは張り合わせなどをして複層化したことを特徴とするシ―ト。
【請求項３】
請求項１あるいは請求項２に記載のシートを収納して、一端から引き出して取り出しやすくした容器。
【考案の詳細な説明】
【技術分野】
【０００１】本考案は、吸水性、保水性、耐久性などを有するシートを平坦な面状し、使用する状況に応じて任意に裁断できるように工夫し、ロール状にしたシートに関するもの及び該シートを内に収納して取り出しやすくした容器に関する。
【背景技術】
【０００２】従来の吸水性、保湿性、耐久性などを有する物は、例えばセルロース、スポンジ、布などは、製造過程で立体的であるその形、大きさなど決まっている。また平面状の形態もあるが、ただ一枚の広く伸ばされた形状をしている。
【先行技術文献】
【特許文献】
【０００３】
【特許文献１】特開平１０−０７５９２３
【考案の概要】
【考案が解決しようとする課題】
【０００４】従来の吸水性、保水性、耐久性などを有する物は、例えば  セルロース、スポンジ、布などは、製造過程でその形、大きさなどが決まっている。しかしながら、これらの物は、使用状況が様々でありそれに応じて、大きい小さいなどの形態が必要になってくる。つまり、従来の吸水性、保湿性、耐久性などを有する物は、使用目的に大きさが合致せず不便である。本考案は、吸水性、保湿性、耐久性などの特徴のあるシートをロール状あるいは折り畳んで重ねた状態にして、使用状況よって任意に大きさを決めることもでき、そして簡単に切り取ることが出来る工夫をして使用時の利便を高めることである。【０００５】従来の吸水性、保湿性、耐久性などを有する物は、平面状のものであってもただ広い平面の形状であり、収納時の取り扱いに不便である。本考は吸水性、保湿性、耐久性などを有するシートをロール状あるいは折り畳んで重ねた状態にして、これに即した大きさで取り出しやすくした容器に収納することによって、複数のシートを集合的に設置することができて、収納時の利便性を高めることである。
【課題を解決するための手段】
【０００６】吸水性、保水性、耐久性などを有する薄く平面形状で長尺のシートであって該シートの一端は、接着剤または接着状物質を用いるかあるいは用いずに、一本の心棒に固定して該心棒に巻つけてあり、他端部から順次引き出して使用できるようにしたことを特徴とするシート。【０００７】請求項１において、該シートは、任意の位置あるいは付された切れ目にて切り取り可能にしたロール形状に巻くか、あるいは折り畳んで重ねた状態のシートであって、その表面をコーティング、あるいは張り合わせなどをして複層化したことを特徴とするシート。【０００８】請求項１あるいは請求項２に記載のシートを収納して、一端から引き出して取り出しやすくした容器。
【考案の効果】
【０００９】該シートは、一本の心棒に巻きつけた形、つまり、ロール状あるいは折り畳んで重ねた状態なっていて、使用状況よって任意に大きさを決めることができ、そして簡単に切り取ることが出来る工夫をしているので、例えば一般生活においてキッチンやシンク、洗面台、風呂場、トイレなどの水まわりの清掃時にまた、鏡面仕上げの家具、電気製品、鏡、窓ガラスの清掃時などに、また水拭きや水滴の吸収などにおいてそれぞれの適宜な任意の大きさに裁断でき使用に便利である。【００１０】該シートを冷蔵庫、洗濯機など常時使用する鉄製の電化製品などの表面に、空になっている芯棒部分に、マグネットが付いている取り付け部品などを通し鉄製の表面に吸引して使用することができ、頻繁な使用に大変便利である。【００１１】該シートは、単色、あるいは、複数色を有し、あるいは自然色の場合もあり、また、模様などの装飾を有して、それぞれの使用時、また使用時でない時も住居環境を豊かにすることができる。
【図面の簡単な説明】
【００１２】
【図１】本考案の実地一例でロール状のシートの形態である。
【図２】本考案の実施一例でロール状のシートを収納する容器の一例である。
【符号の説明】
【００１３】１・・心棒
２・・本考案のシート
３・・容器
【考案を実施するための形態】
【００１４】図１は、本考案の吸水性、保水性、耐久性を有する薄く平面形状で長尺のシートの実施形態を示すものであり、これについて説明する。心棒１は、請求項１で述べた方法でシート２を巻きつける心棒である。この心棒１は棒の中が空洞のものや空洞の無い棒状のもの、いずれも使える。
【００１５】図１における心棒１は、使用目的に相対してその長さは様々であり、心棒の直径も心棒なしの空洞の直径も様々である。又、中空の管状であっても良い。
【００１６】シート２は、本考案の吸水性、保水性、耐久性を有する薄く平面形状で長尺状のシートである。材質は例えば、セルロース、スポンジ、布などをさすものであり、それが多素材と混合しても素材の種類また、その混合率も問わないシートである。
【００１７】シート２は、単色あるいは複数色にするか、また模様を有するか否かなど染色する等、任意に装飾を施すこともできる。
【００１８】シート２は、使用時に任意に切り取るように工夫することもでき例えばミシン目などを設けても良い。
【００１９】シート２は、表面がコーティング、あるいは張り合わせなどにより複層化したシートであっても吸水性、保水性、耐久性などの性能が保たれるのであれば良い。又、片面あるいは中間層を、水分を透過しない層にすることもできる。
【００２０】又、シート２は、袋状になって連ねてミシン目などで切り離しても良い。
【００２１】シート２の厚さも任意のもので良く、シートを使用目的に合わせて、片面あるいは、両面から押され、圧縮などして、シートの厚さを変化、調整したシートであっても良い。
【００２２】図２は、図１におけるシート２を収納する容器である。箱状の形態でもよいし筒状の形態であっても良く、素材は問わない。シート２を他端部から順に引き出しできる性能が保たれるのであれば良く、取り出し口の形状を任意の装飾性のあるデザインにすることもできる。
【実施例】
【００２３】図１のシート２について実施例を説明する。吸水性、保水性、耐久性などを有するシートを薄く長尺の平坦な面状にし、適宜な長さに裁断する。これを任意に切り取りやすくするために均等な間隔、あるいは均等でない間隔を開けて、ミシン目をつける。この一端を心棒に接着剤、セロテープなどを使用して定着させ、その心棒に巻きつけてロール状を形作る。素材によっては、心棒との摩擦を利用するだけでも良い。【００２４】吸水性、保水性、耐久性などを有するシートを薄く長尺の平坦な面状し、適宜な長さに裁断し、同じ大きさの細長い長方形になるように折り合わせる。これを任意に切り取りやすくするために均等な間隔を開けて、あるいは均等でない間隔を開けてミシン目をつける。この二枚のシートのミシン目の左横または、右横にミシン線と平衡した直線上に圧迫などの方法で二枚を接合し、ミシン目から切り取った後、底とそれに垂直に接する一辺が袋状になるシートを作る。この一端を心棒に定着してその心棒に巻きつけてロール状を形作る。【００２５】吸水性、保水性、耐久性などを有するシートを薄く長尺の平坦な面状にし、同じようにビニールを同じ長尺の大きさにして、この２枚のシートを可能な限り安全性の高い接着物質で張り合わせる。これを任意に切り取りやすくするために平等に間隔を開けて、あるいは均等でない間隔を開けてミシン目をつける。適宜のまとまりで切り取り、一端を心棒に定着しその心棒に巻きつけてロール状を形作る。
【産業上の利用可能性】
【００２６】該シートは、コーティング、例えばラミネートあるいは張り合わせなどにより複層化することによって、該シートに包んだ冷凍食品などを解凍する時に発生した水分を速やかに吸収することができ、食材、食品などをより衛生的に吸水、保水することができる。これは、個人的な家庭生活に利用されると共に、食品業界、食材業界、飲食業界に利用される価値がある。【００２７】該シートは、必要に即した大きさあるいは長さの該シートの空になっている芯棒部分に、接続部品などを通して固定設置するなど、常時使用する部屋や場所の適宜の箇所に固定して使用できるシートである。特に介護施設などにおいてこぼした食品の清掃時に、また失禁の片づけなどの急用時に、そして尿漏れ対策用などにシーツ、又はシーツの補助的機能としての使用時などに便利である。【００２８】教育現場や、スポーツ関係で雨天時また雨天後に運動を使用する時など雨水の吸水にかなり広い形態の吸水シートが必要とされる。この時ロール状の該シートは設置場所の広さをとらず、持ち運びも便利なので短時間で吸水作業を進めることができる。
【図１】
0003200166.tif 000003
【図２】
0003200166.tif 000004